(57)【要約】【課題】極めて簡単な構成で、かつ効果的に、ＦＦＣが読取手段に巻き付くのを防止することができる原稿読取装置を提供することを目的とする。【解決手段】読取手段３の下面に、圧縮ばね６１力により筐体１の底面１１側に付勢されるスライド部６２を有するケーブル案内手段６を設け、このケーブル案内手段６の前記スライド部６２により前記読取手段３が移動する際、前記ＦＦＣ４を筐体１の底面１１側に押さえながらスライドするように構成する。【選択図】図１
2005049612.tif 000002
【特許請求の範囲】
【請求項１】
原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するフレキシブルフラットケーブルとを備え、このフレキシブルフラットケーブルを前記コンタクトガラス面に水平方向に配置するようにした原稿読取装置において、
前記読取手段の下面に、圧縮ばね力により筐体の底面側に付勢されるスライド部を有するケーブル案内手段を設け、このケーブル案内手段の前記スライド部により前記読取手段が移動する際、前記フレキシブルフラットケーブルを筐体の底面側に押さえながらスライドするように構成したことを特徴とする原稿読取装置。
【請求項２】
原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するフレキシブルフラットケーブルとを備え、このフレキシブルフラットケーブルを前記コンタクトガラス面に水平方向に配置するようにした原稿読取装置において、
前記読取手段の下面に、前記フレキシブルフラットケーブルを筐体の底面側に押さえながらスライドするスライド部を有するケーブル案内手段を設けたことを特徴とする原稿読取装置。
【請求項３】
前記ケーブル案内手段のスライド部のフレキシブルフラットケーブルに接するスライド面を、半球状に形成したことを特徴とする請求項１または請求項２に記載の原稿読取装置。
【請求項４】
前記スライド部のスライド面を、球体の一部で形成したことを特徴とする請求項３に記載の原稿読取装置。
【請求項５】
前記ケーブル案内手段のスライド部のフレキシブルフラットケーブルに接するスライド面を、半円状に形成したことを特徴とする請求項１または請求項２に記載の原稿読取装置。
【請求項６】
前記スライド部のスライド面を、ローラの一部で形成したことを特徴とする請求項５に記載の原稿読取装置。
【請求項７】
前記ケーブル案内手段のスライド部のフレキシブルフラットケーブルに接するスライド面の進行方向の両端部を、曲面に形成したことを特徴とする請求項１または請求項２に記載の原稿読取装置。
【請求項８】
前記ケーブル案内手段のスライド部のフレキシブルフラットケーブルに接するスライド面の幅を、前記フレキシブルフラットケーブルの幅と略同一幅に形成したことを特徴とする請求項５乃至請求項７のいずれか１つに記載の原稿読取装置。
【発明の詳細な説明】
【技術分野】
【０００１】
本発明は、コンタクトガラス上に載置した原稿を読み取ってデジタルデータに変換してコンピュータに出力するスキャナなどの原稿読取装置に関し、特にフレキシブルフラットケーブル（以下単にＦＦＣと称す。）が、走査時に読取手段に巻き付くのを効果的に防止するようにしたものである。
【背景技術】
【０００２】
周知の通り、スキャナなどの原稿読取装置にあっては、原稿載置台のコンタクトガラス上に載置した原稿を読み取る際、前記コンタクトガラスの下に設けた読取手段をホームポジションから読取最終位置、すなわち原稿の始点から終点までを平行に移動し、原稿を走査する。このとき、前記読取手段に走査時の電力供給および読取り信号の伝達や制御に、ＦＦＣが用いられる。
【０００３】
ところが、特にこの種装置が薄型の場合、ＦＦＣを前記コンタクトガラス面に水平方向に配置しているので、読取手段の移動に伴ってコンタクトガラス面とＦＦＣが摺動してＦＦＣが座屈し、あるいは読取手段に巻き付き、読取手段の移動を妨げ、これに起因してＦＦＣが断線したり、動かなくなったりして、この種装置の故障の原因となっていた。
【０００４】
、
ところで、上述の点を考慮して従来では、例えばＦＦＣをコンタクトガラス面に垂直方向に配置し、ねじりコイルばねにより、枠体側面にＦＦＣを付勢するようにしたものがある(例えば、特許文献1参照）。
【特許文献１】特開２００２-２４７２９１号公報
【発明の開示】
【発明が解決しようとする課題】
【０００５】
しかし、前述の特許文献１記載の構成では、ＦＦＣを前記コンタクトガラス面に水平方向に配置し、ＦＦＣを枠体内の側面方向に移動するため、この移動領域内には、例えば、読取手段を駆動するモータなどの駆動源や、搬送機構などからなる駆動手段、更にはその他の関連部品などを配置することができない。このため、この種装置が大型化する傾向にある他、勢い高価なものとなる、などといった課題がある。
【０００６】
本発明は、上述した問題を解決するためになされたものであり、極めて簡単な構成で、かつ効果的に、ＦＦＣが読取手段に巻き付くのを防止することができる原稿読取装置を提供することを目的とする。
【課題を解決するための手段】
【０００７】
かかる目的を達成するため、請求項１記載の発明では、原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するＦＦＣとを備え、このＦＦＣを前記コンタクトガラス面に水平方向に配置するようにした原稿読取装置において、前記読取手段の下面に、圧縮ばね力により筐体の底面側に付勢されるスライド部を有するケーブル案内手段を設け、このケーブル案内手段の前記スライド部により前記読取手段が移動する際、前記ＦＦＣを筐体の底面側に押さえながらスライドするように構成する。
【０００８】
請求項２記載の発明では、原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するＦＦＣとを備え、このＦＦＣを前記コンタクトガラス面に水平方向に配置するようにした原稿読取装置において、前記読取手段の下面に、前記ＦＦＣを筐体の底面側に押さえながらスライドするスライド部を有するケーブル案内手段を設ける。
【０００９】
請求項３記載の発明では、前記ケーブル案内手段のスライド部のＦＦＣに接するスライド面を、半球状に形成する。
【００１０】
請求項４記載の発明では、前記スライド部のスライド面を、球体の一部で形成する。
【００１１】
請求項５記載の発明では、前記ケーブル案内手段のスライド部のＦＦＣに接するスライド面を、半円状に形成する。
【００１２】
請求項６記載の発明では、前記スライド部のスライド面を、ローラの一部で形成する。
【００１３】
請求項７記載の発明では、前記ケーブル案内手段のスライド部のＦＦＣに接するスライド面の進行方向の両端部を、曲面に形成する。
【００１４】
請求項８記載の発明では、前記ケーブル案内手段のスライド部のＦＦＣに接するスライド面の幅を、前記ＦＦＣの幅と略同一幅に形成する。
【発明の効果】
【００１５】
請求項１記載の発明の構成によれば、読取手段が移動する際、これに伴って追従移動するＦＦＣを、ケーブル案内手段のスライド部を介してばね力により、適度な押圧力で筐体の底面側に押さえながら移動するので、ＦＦＣが座屈したり、あるいは読取手段に巻き付いたりすることがない。したがって、読取手段はスムーズに移動し、従来のようなＦＦＣの断線や、読取手段が動かなくなる、などといったことがなくなり、この種装置を長期間に亘って安定して使用することができる。しかも、ＦＦＣは、前記コンタクトガラス面に水平方向に配置されているので、このＦＦＣが移動する領域は、筐体内の前記読取手段が移動する領域の下側の内の一部分、すなわち、ＦＦＣの幅分のみとなる。したがって、前記読取手段が移動する領域の下側の他の部分は、なんら制限されないので、例えば、読取手段を駆動するモータなどの駆動源や、搬送機構などからなる駆動手段、更にはその他の関連部品などを配置することも可能であり、設計上の規制領域が少なくなり、融通無碍となり都合がよい。
【００１６】
請求項２記載の発明の構成によれば、読取手段が移動する際、これに伴って追従移動するＦＦＣを、ケーブル案内手段のスライド部により筐体の底面側に押さえながら移動するので、ＦＦＣが座屈したり、あるいは読取手段に巻き付いたりすることがない。したがって、読取手段はスムーズに移動し、従来のようなＦＦＣの断線や、読取手段が動かなくなる、などといったことがなくなり、この種装置を長期間に亘って安定して使用することができる。しかも、ＦＦＣは、前記コンタクトガラス面に水平方向に配置されているので、このＦＦＣが移動する領域は、筐体内の前記読取手段が移動する領域の下側の内の一部分、すなわち、ＦＦＣの幅分のみとなる。したがって、前記読取手段が移動する領域の下側の他の部分は、なんら制限されないので、例えば、読取手段を駆動するモータなどの駆動源や、搬送機構などからなる駆動手段、更にはその他の関連部品などを配置することも可能であり、設計上の規制領域が少なくなり、融通無碍となり都合がよい。
【００１７】
請求項３記載の発明の構成によれば、ＦＦＣに接するスライド面が半球状に形成されているので、ＦＦＣとの接触移動が円滑となり、ＦＦＣを損傷することがなく、都合がよい。
【００１８】
請求項４記載の発明の構成によれば、ＦＦＣに接するスライド面が球体の一部によって形成されているので、ＦＦＣとの接触移動が円滑となり、ＦＦＣを損傷することがなく、都合がよい。
【００１９】
請求項５記載の発明の構成によれば、ＦＦＣに接するスライド面が半円状に形成されているので、ＦＦＣとの接触移動が円滑となり、ＦＦＣを損傷することがなく、都合がよい。
【００２０】
請求項６記載の発明の構成によれば、ＦＦＣに接するスライド面がロールの一部によって形成されているので、ＦＦＣとの接触移動が円滑となり、ＦＦＣを損傷することがなく、都合がよい。
【００２１】
請求項７記載の発明の構成によれば、ＦＦＣに接するスライド面の進行方向の両端部が、曲面に形成されているので、ＦＦＣとの接触移動が円滑となり、ＦＦＣを損傷することがなく、都合がよい。
【００２２】
請求項８記載の発明の構成によれば、ＦＦＣに接するスライド面の幅を、ＦＦＣの幅と略同一幅とし、前記ＦＦＣの幅方向全域を前記スライド面で押し圧するように形成されているので、ＦＦＣが横にずれることがなく、均一に押し圧移動でき、極めて都合がよい。
【発明を実施するための最良の形態】
【００２３】
原稿を載置するコンタクトガラスを有する原稿載置台と、筐体内に収納され前記コンタクトガラス上に位置決めされた前記原稿を読取る読取手段と、この読取手段と前記筐体内に配設されたコネクターを接続するＦＦＣとを備え、このＦＦＣを前記コンタクトガラス面に水平方向に配置するようにした原稿読取装置において、前記読取手段の下面に、圧縮ばね力により筐体の底面側に付勢される半円状のスライド面を形成したスライド部を有するケーブル案内手段を設け、このケーブル案内手段の前記スライド面により前記読取手段が移動する際、前記ＦＦＣを筐体の底面側に押さえながらスライドするように構成する。
【実施例１】
【００２４】
以下、本発明の一実施例を図１乃至図４に基づき説明する。図１は、本発明の一実施例による原稿読取装置の概略構成を示し、読取手段がホームポジションに位置する状態を示す断面図、図２は、図１に示す原稿読取装置において、読取手段が読取最終位置に位置する状態を示す断面図、図３は、同じく図１に示す原稿読取装置の側面断面図、図４は、図１に示す原稿読取装置のケーブル案内手段の一例を拡大して示す拡大部分断面図である。
【００２５】
１は筐体で、その上面には図示しない原稿を載置するためのコンタクトガラス２１を有する原稿載置台２が形成されている。３は読取手段で、前記筐体１内に配置され、図示しない駆動源や、搬送機構などからなる駆動手段により、コンタクトガラス２１の下を矢印Ｘで示すように往復移動し、ホームポジションＡから読取最終位置Ｂに移動する際、原稿を走査する。
【００２６】
前記読取手段３は、図示しないが原稿照射用の光源である例えば３色（Ｒ、Ｇ、Ｂ）のＬＥＤ、原稿からの反射光をイメージセンサーの受光素子に結像するロットレンズアレイおよびイメージセンサーなどにより構成され、図示しない枠体上に配置されている。
【００２７】
４はＦＦＣで、前記読取手段３のＬＥＤへの電力供給およびイメージセンサーなどの読取り信号の伝達や制御に用いられ、読取手段３と前記筐体１内に設けられたコネクター５とを接続する。
【００２８】
６は、本発明にしたがい前記読取手段３の下面、より具体的には図示しない読取手段３を支持する枠体に取付けられたケーブル案内手段で、この例では図４に示すように、圧縮ばね６１と、その先端に設けられたスライド部６２と、胴部６３とから構成され、前記スライド部６２のＦＦＣに接するスライド面Sは、半球状に形成してある。前記圧縮ばね６１のばね力は、前記ＦＦＣ４を筐体１の底面１１側に軽く押さえればよく、殊更大きなばね力とする必要がないのは勿論である。また、前記スライド部６２は、磨耗が少なく摩擦係数の小さい材料、例えばポリプロピレン樹脂やポリエステル樹脂などの合成樹脂、あるいは合成樹脂や他の材料で形成しても、あるいはスライド面Sに、耐摩耗性に優れかつ摩擦係数の小さい薄膜を被覆しても良いのは勿論である。
【００２９】
また、前記ＦＦＣ４の伸縮、移動および変形しない部分、すなわち、図１に示すように読取手段３がホームポジションＡにある状態で、ＦＦＣ４のＵ字状に変形し始める点Ｃ、またはその近傍からホームポジションＡまでの間は、筐体１の底面１１に例えば両面粘着テープなどを用いて接着あるいは他の手段により固着しても良い。このようにすれば、接着あるいは固着した部分は、読取手段３が移動してもなんら影響を受けず、該部分における座屈などの可能性は皆無となり、都合がよい。
【００３０】
次に、このように構成されたケーブル案内手段６を設けた原稿読取装置の動作を説明する。先ず、図１に示すような読取手段３がホームポジションＡに位置する状態で、図示しない制御部から走査指令が発せられると、図示しない駆動手段が動作し、読取手段３がホームポジションＡから読取最終位置Ｂ側（紙面左方向）に、コンタクトガラス２１上に載置された原稿を走査しながら移動し、前記原稿を読み取り、その情報がＦＦＣ４を介して図示しないＣＰＵに伝達される。この移動に伴ってケーブル案内手段６は、半球状に形成したスライド面Sにより、前記ＦＦＣ４を筐体１の底面１１側に前記圧縮ばね６１のばね力で押さえながら読取最終位置Ｂ側に移動する。その後、駆動手段が逆方向に駆動され読取手段３が、ホームポジションＡに移動し、これに伴って往路同様、ケーブル案内手段６は、半球状に形成したスライド面Sにより、前記ＦＦＣ４を筐体１の底面１１側に前記圧縮ばね６１のばね力で押さえながらホームポジションＡに移動し、次の指令があるまで待機する。
【００３１】
以上の構成による実施例では、読取手段３が往復移動する際、これに伴って追従移動するＦＦＣ４を、ケーブル案内手段６スライド部６２の半球状に形成したスライド面Sを介して前記圧縮ばね６１のばね力により、適度な押圧力で筐体１の底面１１側に押さえながら、ケーブル案内手段６が円滑に接触移動するので、ＦＦＣ４が座屈したり、あるいは読取手段３に巻き付いたりすることがない。したがって、読取手段３は、従来のようなＦＦＣ４の断線や、読取手段３が動かなくなる、などといったことがなくなり、この種装置を長期間に亘って安定して使用することができる。しかも、ＦＦＣ４は、前記コンタクトガラス２１面に水平方向に配置されているので、このＦＦＣ４が移動する領域は、筐体１内の前記読取手段３が移動する領域の下側の内の一部分、すなわち、ＦＦＣ４の幅分のみとなる。したがって、前記読取手段３が移動する領域の下側の他の部分は、なんら制限されないので、例えば、読取手段３を駆動するモータなどの駆動源や、搬送機構などからなる駆動手段、更にはその他の関連部品などを配置することも可能であり、設計上の規制領域が少なくなり、融通無碍となり都合がよい。
【実施例２】
【００３２】
次に、図５に示す本発明の他の実施例について説明する。この実施例では、ケーブル案内手段のスライド部を球体とし、この球体の一部でＦＦＣに接するスライド面を形成したものである。図５は、ケーブル案内手段の他の例を拡大して示す拡大部分断面図である。なお、図５において図1乃至図４と同じ符号を付した部分は略同一のものを示す。以下相違点を中心に説明する。
【００３３】
この実施例では、ケーブル案内手段６として、筒状の胴部６３の中に圧縮ばね６１と、球体６４とを収納し、胴部６３の底面に設けた貫通孔６５から前記球体６４の一部分が出るようにしてスライド部６２形成し、スライド部６２のＦＦＣ４と接するスライド面Ｓが少なくとも半球状になるようにしたものである。
【００３４】
この構成によっても、前述の実施例と同様、読取手段３が移動する際、これに伴って追従移動するＦＦＣ４は、ケーブル案内手段６のスライド部６２の半球状のスライド面Ｓにより、前記圧縮ばね６１のばね力をもって、適度な押圧力で筐体１の底面１１側に押さえられ、またケーブル案内手段６も円滑に接触移動するので、ＦＦＣ４が座屈したり、あるいは読取手段３に巻き付いたりすることがない。
【実施例３】
【００３５】
次に、図６および図７に示す本発明の更に他の実施例について説明する。この実施例では、ケーブル案内手段のスライド面を半円状としたものである。図６は、ケーブル案内手段の更に他の例を拡大して示す拡大部分断面図、図７は、図６の側面図である。なお、図６および図７において図1乃至図５と同じ符号を付した部分は略同一のものを示す。以下相違点を中心に説明する。
【００３６】
この実施例では、ケーブル案内手段６のＦＦＣ４と接するスライド部６２のスライド面Ｓを半円状とするとともに、スライド部６２のスライド面Ｓの幅Ｌを、ＦＦＣ４の幅と略同一幅に形成したものである。
【００３７】
この構成によれば、前述した各実施例と同様の作用効果を奏する他、スライド部６２のスライド面Ｓの幅Ｌを、ＦＦＣ４の幅と略同一幅に形成し、前記ＦＦＣの幅方向全域を押し圧するように形成したので、ＦＦＣが横にずれることがなく、均一に押し圧移動でき、極めて都合がよい。
【実施例４】
【００３８】
次に、図８に示す本発明の更に他の実施例について説明する。この実施例では、ケーブル案内手段のスライド部をローラとし、このローラの一部でＦＦＣに接するスライド面を形成したものである。図８は、ケーブル案内手段の更に他の例を拡大して示す拡大部分断面図である。なお、図８において図1乃至図７と同じ符号を付した部分は略同一のものを示す。以下相違点を中心に説明する。
【００３９】
この実施例では、ケーブル案内手段６として、筒状の胴部６３の中に圧縮ばね６１と支持軸６６配設し、前記支持軸６６の先端に支持枠６７を設け、ローラ６８を支持することによりスライド部６２を構成し、スライド部６２のＦＦＣ４と接するスライド面Ｓを少なくとも半円状とするとともに、スライド面Ｓを形成するローラ６８の幅Ｌを、ＦＦＣ４の幅と略同一幅に形成したものである。
【００４０】
この構成によれば、前述した各実施例と同様の作用効果を奏する他、スライド部６２ノロ−ラ６８は、読取手段３が移動する際、回転しているので、ＦＦＣ４との摩擦がほとんどなく、磨耗による塵埃の発生を皆無とでき極めて都合がよい。
【実施例５】
【００４１】
次に、図９に示す本発明の更に他の実施例について説明する。この実施例では、ケーブル案内手段のスライド部のスライド面の進行方向の両端部を、曲面に形成したものである。図９は、ケーブル案内手段の更に他の例を拡大して示す拡大部分断面図である。なお、図９において図1乃至図８と同じ符号を付した部分は略同一のものを示す。以下相違点を中心に説明する。
【００４２】
この実施例では、ケーブル案内手段６のスライド部６２のＦＦＣ４と接するスライド面Ｓの進行方向の両端部６９を、曲面にするとともに、前述の実施例４と同様にスライド部６２の幅を、ＦＦＣ４の幅と略同一幅に形成したものである。
【００４３】
この構成によれば、前述した各実施例と同様の作用効果を奏する他、スライド部６２の幅を、ＦＦＣ４の幅と略同一幅に形成し、前記ＦＦＣの幅方向全域を押し圧するように形成したので、ＦＦＣが横にずれることがなく、均一に押し圧移動でき、極めて都合がよい。
【００４４】
なお、上述した各実施例は、本発明の好適な実施例であるが、これに限定されるものではなく、本発明の要旨を逸脱しない範囲において、種々変形実施可能である。
【図面の簡単な説明】
【００４５】
【図１】本発明の一実施例による原稿読取装置の概略構成を示し、読取手段がホームポジションに位置する状態を示す断面図である。
【図２】図１に示す原稿読取装置において、読取手段が読取最終位置に位置する状態を示す断面図である。
【図３】同じく図１に示す原稿読取装置の側面断面図である。
【図４】図１に示す原稿読取装置のケーブル案内手段の一例を拡大して示す拡大部分断面図である。
【図５】ケーブル案内手段の他の例を拡大して示す拡大部分断面図である。
【図６】図６は、ケーブル案内手段の更に他の例を拡大して示す拡大部分断面図である。
【図７】図６の側面図である。
【図８】図８は、ケーブル案内手段の更に他の例を拡大して示す拡大部分断面図である。
【図９】図９は、ケーブル案内手段の更に他の例を拡大して示す拡大部分断面図である。
【符号の説明】
【００４６】
１    筐体
１１  底面
２    原稿載置台
２１  コンタクトガラス
３  読取手段
４    フレキシブルフラットケーブル（ＦＦＣ）
５    コネクター
６    ケーブル案内手段
６１  圧縮ばね
６２  スライド部
Ｓ    スライド面
６４  球体
６８  ローラ
６９  端部
Ａ    ホームポジション
Ｂ    読取最終位置
【図１】
2005049612.tif 000003
【図２】
2005049612.tif 000004
【図３】
2005049612.tif 000005
【図４】
2005049612.tif 000006
【図５】
2005049612.tif 000007
【図６】
2005049612.tif 000008
【図７】
2005049612.tif 000009
【図８】
2005049612.tif 000010
【図９】
2005049612.tif 000011